(57)【要約】本発明はパッケージに関し、該パッケージは、外ねじ山（１１）と縁（１３）とを有するネック（１０）と本体（９）とを備えた広口ビン（８）と、広口ビンのネックの外ねじ山にねじ込み可能な閉鎖手段と、縁の全周に密着されたほぼ円形の膜（１４）とを有し、該パッケージは、膜の良好な把持を許すように、ネックの縁がその周囲の一部にわたって一つ以上の特別な領域を持つことを特徴としている。
2004514611.tif 000002
【特許請求の範囲】
【請求項１】
縁を有するネック又はフランジと本体とを備えた容器と、縁又はフランジの全周に密着されたほぼ円形又は楕円形の膜とを有したパッケージにおいて、前記パッケージが、膜の良好な把持と膜の良好な剥がしを許すように、ネックの縁又はフランジがその周囲の一部にわたって一つ以上の特別な領域を持つことを特徴とするパッケージ。
【請求項２】
請求項１によるパッケージにおいて、前記容器がカップ又はトレーの形を有していることを特徴とするパッケージ。
【請求項３】
請求項１によるパッケージにおいて、前記容器がネック及び本体を備えた広口ビンであり、前記ネックは外ねじ山又はボスと縁とを有しており、及び前記外ねじ山上にねじ込まれ得る又は広口ビンのネックのボス上にスナップ固定される閉鎖手段とを特徴とするパッケージ。
【請求項４】
請求項１から３のいずれか１項によるパッケージにおいて、ネックの縁又はフランジは、適当な大きさの少なくとも一つの凹部を有した１つの特別な領域を有していることを特徴とするパッケージ。
【請求項５】
請求項１から３のいずれか１項によるパッケージにおいて、ネックの縁又はフランジが１つの特別な領域を有していて、そこでは、縁又はフランジは膜が突出することを許す少なくとも一つの平坦部を有していることを特徴とするパッケージ。
【請求項６】
請求項１から３のいずれか１項によるパッケージにおいて、ネックの縁が一つ又は二つの特別な領域を有していて、そこでは、縁の厚さは膜が突出するのを許すように、ある距離にわたって薄くなっていることを特徴とするパッケージ。
【請求項７】
請求項１から６のいずれか１項によるパッケージにおいて、前記広口ビンは、ガラス製、プラスチック製、又はアルミ製であることを特徴とするパッケージ。
【請求項８】
請求項４によるパッケージにおいて、前記凹部の適当な寸法は、１ｃｍ〜２ｃｍの幅で、約５ｍｍの深さであることを特徴とするパッケージ。
【請求項９】
請求項５によるパッケージにおいて、前記縁は、１０度と４５度の間の角度にわたる平坦部を有し、前記膜が４ｍｍ〜６ｍｍだけ突出していることを特徴とするパッケージ。
【請求項１０】
請求項６によるパッケージにおいて、前記縁は、１ｃｍ〜２ｃｍの長さにわたって厚さの薄い領域を有し、前記膜が１ｍｍ〜３ｍｍだけ突出していることを特徴とするパッケージ。
【発明の詳細な説明】
【０００１】
（技術分野）
本発明は、縁を有するネック又はフランジと本体とを備えた容器と、縁又はフランジの全周に密着されたほぼ円形又は楕円形の膜とを有したパッケージに関する。
【０００２】
（背景技術）
現在市場で知られているパッケージは、縁を備えた広口ビンと、閉鎖手段と、縁の周囲上に接着された膜とを有している。この種のパッケージは特にインスタントコーヒーの包装に使用されているけれども、他の粉末製品の包装にも使用され得る。この種のパッケージでは、広口ビンを開けるために、膜は破られなければならず、このことは膜の破片が広口ビン内の製品中に入り込む可能性についての問題を起こす可能性がある。
【０００３】
現在のところ、膜を広口ビンの縁に接着させる代わりに、誘導密着（ｉｎｄｕｃｔｉｏｎ　ｓｅａｌｉｎｇ）の技術が開発されている。この技術は、関連する製品で広口ビンを満たすこと、膜が満たされた広口ビンの上にある状態で閉鎖手段を持ってくること、誘導によって膜の密着を行うことから成っている。この技術の主たる利点は、広口ビンが最初に開かれるとき、膜が剥がされることが可能である点にある。剥がす為には、把持のための部分が必要とされる。通常、これは広口ビンの周囲から突出したタブである。タブの使用なしに剥がしの解決策を持つことは有利であろう。そのような解決策は米国特許第３８５７５０６号や第３６３２００４号において既に知られている。これら解決策の欠点は、膜の良好な把持を許さないことであり、他方、膜の引き裂きなしに剥がすことを保証できないことである。
【０００４】
本発明の目的は、誘導密着された膜又は他の種類のシールを備えた容器であって、タブが無くても消費者が容易に膜を剥がすことが出来、膜が剥がし中に引き裂かれないことを保証できる容器を持つことである。
【０００５】
（発明の開示）
本発明は、縁を有するネック又はフランジと本体とを備えた容器と、縁又はフランジの全周に密着されたほぼ円形又は楕円形の膜とを有したパッケージであって、膜の良好な把持と膜の良好な剥がしを許すように、ネックの縁又はフランジがその周囲の一部にわたって一つ以上の特別な領域を持つようになっているパッケージに関している。
【０００６】
本発明によれば、２種の容器を持つことが可能である。第１の解決策は、膜が密着されたフランジを備えたカップ又はトレーの形の容器を持つことである。
【０００７】
第２の解決策は、ネックと本体とを備えた広口ビンを容器として持つことであり、前記ネックは外ねじ山又はボスと縁とを有し、及び前記外ねじ山上にねじ込まれ得る又は広口ビンのネックのボス上にスナップ固定される閉鎖手段とを有している。
【０００８】
ねじ込み又はスナップ固定される閉鎖手段はそれ自体公知であり、本明細書ではこれ以上説明しない。ねじ込み固定の場合には、広口ビンのネック上にはねじ山があり、スナップ固定の場合には、ネックにはボスがある。両方の例における閉鎖手段は、広口ビンのネックのねじ山又はボスと協働する捕捉手段である。
【０００９】
パッケージは、粉末状、ペースト状、顆粒状、又は液状のいかなる種類の製品も内包するということを明確に理解すべきである。このことは、等しい好ましさで、食料品又は化粧品又は膜を備えた容器内に包装され得るいかなる種類の製品にも当てはまるであろう。例えば、本発明は、広口ビン内のインスタントコーヒーのパッケージ、又は、容器がカップ又はトレーである場合のヨーグルト又はペットフードのパッケージを想定している。カップは熱成型プラスチック又はアルミニウムトレーであり得る。
【００１０】
用語「広口ビン」は、本明細書においては、略角型の容器又は円形断面の容器、閉鎖手段がねじ込み固定又はスナップ固定される略円形又は楕円形のネックを備えた他の形の容器を意味するものと理解されるべきである。閉鎖手段は、円形、楕円形、六角形又は八角形のような多角形の蓋である。
【００１１】
広口ビンはガラス製、プラスチック製、アルミニウム製又は多層複合材であってよい。用語「プラスチック」は、食料品分野で採用されるプラスチック、例えば、ポリエチレン、ポリプロピレン、又はポリスチレンを意味するものと理解されるべきである。ガラスの場合には、ビン、ヨーグルト用カップ、又は他の形をとり得る。蓋はプラスチックで作られている。この蓋は、ポリエチレン又はポリプロピレンで作られるのが好ましい。
【００１２】
本発明によるパッケージの第１の実施の形態によれば、ネックの縁又はフランジは適当な大きさの少なくとも一つの凹部を有する一つの特別な領域を持つ。この凹部は、好ましくは、円弧形を有しており、それは親指の人間工学又は指に対応している。
【００１３】
しかして、使用時に指をその中に滑り込ませ、膜を引っ張り上げることが出来る、前記凹部の曲面による標準の一定の強度を備えた小さいニッチが存在している。この凹部の適当な寸法は、約１ｃｍ〜２ｃｍの幅で、約５ｍｍの深さである。本実施の形態においては、縁は広口ビンの全周にわたって同じ厚さを有している。
【００１４】
本発明によって使用される膜はクリティカルではない。それはどんな種類、すなわち、膜が誘導密着ヘッドの下を通過するとき良好な密着を許すアルミニウム又は密着可能な層を備えた多層物などでよい。紙の層と密着層とを備えた膜を持つことも可能である。紙とアルミニウムは酸素障壁機能を有している。膜は伝導、誘導、接着又は超音波によって密着されることが出来る。
【００１５】
本発明によるパッケージの第２の実施の形態においては、ネックの縁又はフランジは一つの特別な領域を有していて、そこでは、ネックの縁又はフランジが膜が突出するのを許すような大きさにされた少なくとも一つの平坦部を有している。平坦部は、膜が約４ｍｍから６ｍｍだけ突出するようにデザインされている。広口ビンの略円形ネックと前記広口ビンの対称中心を考慮するならば、１０°と４５°の間の角度にわたる平坦部を想定することが可能である。好ましくは、内角度は２０°〜３０°のオーダである。全く明らかに、本実施の形態においては、縁は全周にわたって同じ厚さを有している。
【００１６】
本発明によるパッケージの第３の実施の形態においては、ネックの縁は二つの特別な領域を有しており、そこでは、縁の厚さは膜が突出するのを許すようにある距離にわたって薄くなっている。前述の解決策との違いは、本実施の形態の場合は、平坦部が無いことである。すなわち、縁は全周にわたって円形であるが、縁の厚さがある距離にわたって薄くなっている。厚さの薄い領域の距離は１ｃｍから２ｃｍのオーダーであって、膜が１ｍｍ〜３ｍｍだけ突出するのを許している。二つの直径方向に対向した領域を持つことが好ましいが、一つ以上の領域を持つことも可能である。
【００１７】
明細書の残りの記述はねじ閉鎖手段と共に図面を参照してなされる。
【００１８】
（発明を実施するための最良の形態）
ガラス製広口ビン１は本体２とネック３を有している。膜４がネックの縁５の上に密着されている。閉鎖手段（図示なし）がねじ込まれるねじ山６が明瞭に示されている。この実施の形態においては、ネック３は凹部７を有している。縁は同じ厚さを有しており、この凹部７は１５ｍｍの幅と５ｍｍの深さを有している。使用時、消費者は閉鎖手段を取り除き、指を凹部７の下に入れ、膜４を持ち上げる。製品が消費され、次に閉鎖手段が単に元の場所に置かれなければならない。
【００１９】
図２の実施の形態においては、広口ビン８は本体９とネック１０とを有している。膜１４は広口ビンの縁１３に密着されている。広口ビンのねじ山１１は閉鎖手段（図示なし）がその上にねじ込まれるのを許す。この第２の実施形態によれば、広口ビンの縁は平坦部１２を有していて、膜が２１のところで突出し、使用時、前記膜は容易に把持される。図３は本実施の形態を特別に示し、中心角αは３０°である。この場合、それによって膜が突出する距離は５ｍｍである。
【００２０】
最後の２つの図面は第３の実施の形態を与え、広口ビン１４は本体１５とネック１６とを有している。広口ビンのねじ山１８は閉鎖手段（図示なし）がその上にねじ込まれるのを許している。縁１７は、２つの領域１９、２０を除いては一定の厚さを有していて、２つの領域では、薄い厚さを有している。その結果、円形の膜２２は２３のところでこれら２つの領域から突出し、したがって、使用者が膜を剥がそうとした時、膜を容易に把持することが出来る。この図の実施の形態においては、縁は３ｍｍの厚さを有し、該領域１９、２０においては、１．５ｍｍの厚さを有し、したがって、膜は各側で１．５ｍｍだけ突出している。
【００２１】
本発明は、誘導密着された膜を備え、タブを設けることなく前記膜を把持する良好な解決策があるパッケージを、消費者に提供することを可能にする。
【図面の簡単な説明】
【図１】
第１の実施の形態によるパッケージの斜視図。
【図２】
第２の実施の形態によるパッケージの斜視図。
【図３】
図２の実施の形態の縁を上から見た図。
【図４】
本発明の第３の実施の形態によるパッケージの部分断面図。
【図５】
広口ビンの上から見た図。
【国際公開パンフレット】
2004514611.tif 000003
2004514611.tif 000004
2004514611.tif 000005
2004514611.tif 000006
2004514611.tif 000007
2004514611.tif 000008
2004514611.tif 000009
2004514611.tif 000010
2004514611.tif 000011
2004514611.tif 000012
2004514611.tif 000013
2004514611.tif 000014
2004514611.tif 000015
2004514611.tif 000016
【国際調査報告】
2004514611.tif 000017
2004514611.tif 000018